(57)【要約】【課題】雑誌や本などの縮小印刷物において、過去に出版された雑誌等印刷物のイメージとその情報の伝達が可能で、かつミニチュアとして玩具的な楽しみも付与された縮小印刷物およびその製造方法の提供にある。【解決手段】過去に少なくとも一度出版された印刷物２と同じ印刷内容と配置でなり、かつその大きさが同じ割合で縮小されている縮小印刷物１としたもので、その製造方法は、過去に出版された印刷物２から取得したデータを光学的手段で縮小して縮小データを得、その縮小データを１枚の印刷用紙に複数面が印刷されるように面付けし、その面付けされた縮小データをＣＴＰシステムで製版して印刷版として印刷し、その印刷物を丁合し、綴じ合わせるものである。【選択図】図１
2006123379.tif 000002
【特許請求の範囲】
【請求項１】
過去に少なくとも一度出版された印刷物と同じ印刷内容と配置でなり、かつその大きさが同じ割合で縮小されていることを特徴とする縮小印刷物。
【請求項２】
前記縮小に係る大きさの変更に伴い、使用される紙の材質は、過去に出版された印刷物とは異なる材質を適宜選択し得ることを特徴とする請求項１記載の縮小印刷物。
【請求項３】
前記過去に出版された印刷物の印刷内容のうち、掲載できない印刷内容がある場合には、該印刷内容に相当する位置に別の印刷内容が代わりに施されていることを特徴とする請求項１乃至２のいずれか１項記載の縮小印刷物。
【請求項４】
前記過去に出版された印刷物が、雑誌、本、ポスター、カタログ、広告の中から選択されたものであることを特徴とする請求項１乃至３のいずれか１項記載の縮小印刷物。
【請求項５】
販売される商品に景品として添付されるものであることを特徴とする請求項１乃至４のいずれか１項記載の縮小印刷物。
【請求項６】
過去に少なくとも一度出版された印刷物と同じ内容の印刷物を作成するに際し、該過去に出版された印刷物から取得したデータを縮小して縮小データを得、該得られた縮小データを１枚の印刷用紙に複数面が印刷されるように面付けし、該面付けされた縮小データを製版して印刷版を得、該得られた印刷版を用いて印刷し、該印刷された印刷物を前記縮小データに応じた縮小の割合で断裁し、該断裁された印刷物を丁合し、綴じ合わせることを特徴とする縮小印刷物の製造方法。
【請求項７】
前記縮小データの取得は、光学的手段によることを特徴とする請求項６記載の縮小印刷物の製造方法。
【請求項８】
前記面付けされた縮小データの製版は、該縮小データを直接印刷用版材へ出力するＣＴＰ（Ｃｏｍｐｕｔｅｒ  ｔｏ  Ｐｌａｔｅ）システムによることを特徴とする請求項６乃至７のいずれか１項記載の縮小印刷物の製造方法。
【発明の詳細な説明】
【技術分野】
【０００１】
本発明は、雑誌や本など過去に少なくとも一度出版された印刷物を縮小した縮小印刷物およびその製造方法に関するものであり、さらに詳しくは、過去に出版された印刷物と同じ内容と配置でなり、大きさを同じ割合で縮小した縮小印刷物とその製造方法に関するものである。
【背景技術】
【０００２】
従来、１０頁程度で１０ｍｍ〜１ｍｍ角程度のマイクロブック（ミニブック）が知られ、このマイクロブックは、ミクロン単位の文字が印刷されているもので、これを見る（読む）ための平坦なプラスチックレンズとともに販売されていて、特にマニアにはミニチュアとしての商品として広く普及している。
【０００３】
また、絵はがきを用いて、その絵はがき部と豆本部とを一体とし、それらの境界に切取り線を入れ、この単片を数枚重ね合わせ、それに表紙をつけて綴じ、カバーをかけてブック体とし、前記の切取り線で切断して豆本とするものがある（例えば、特許文献１参照。）。
【０００４】
さらにまた、上記のような豆本と外形および表面が装飾された装飾物とを透光性の包装に一括して収納したキーホルダーがある（例えば、特許文献２参照。）。
【０００５】
以下に、上記先行技術文献を示す。
【特許文献１】実開昭６１−１５２４７８号公報
【特許文献２】実開昭６２−１０６５８４号公報
【発明の開示】
【発明が解決しようとする課題】
【０００６】
しかしながら、上記従来のマイクロブック（ミニブック）や豆本のいずれの技術においては、いずれもがミニチュアとして玩具的な楽しみが付与されたものではあるが、過去に出版された雑誌や本あるいはカタログなどのイメージとその内容の情報の伝達という点には欠けるものであった。
【０００７】
本発明は、かかる従来技術の問題点（欠点）を解決するものであり、その課題とするところは、雑誌や本などの縮小印刷物において、過去に出版された雑誌等印刷物のイメージとその内容等情報の伝達が可能で、かつミニチュアとして玩具的な楽しみも付与された縮小印刷物およびその製造方法を提供することにある。
【課題を解決するための手段】
【０００８】
本発明に於いて上記課題を達成するために、まず請求項１の発明では、過去に少なくとも一度出版された印刷物と同じ印刷内容と配置でなり、かつその大きさが同じ割合で縮小されていることを特徴とする縮小印刷物としたものである。
【０００９】
また、請求項２の発明では、前記縮小に係る大きさの変更に伴い、使用される紙の材質は、過去に出版された印刷物とは異なる材質を適宜選択し得ることを特徴とする請求項１記載の縮小印刷物としたものである。
【００１０】
また、請求項３の発明では、前記過去に出版された印刷物の印刷内容のうち、掲載できない印刷内容がある場合には、該印刷内容に相当する位置に別の印刷内容が代わりに施されていることを特徴とする請求項１乃至２のいずれか１項記載の縮小印刷物としたものである。
【００１１】
また、請求項４の発明では、前記過去に出版された印刷物が、雑誌、本、ポスター、カタログ、広告の中から選択されたものであることを特徴とする請求項１乃至３のいずれか１項記載の縮小印刷物としたものである。
【００１２】
また、請求項５の発明では、販売される商品に景品として添付されるものであることを特徴とする請求項１乃至４のいずれか１項記載の縮小印刷物としたものである。
【００１３】
また、請求項６の発明では、過去に少なくとも一度出版された印刷物と同じ内容の印刷物を作成するに際し、該過去に出版された印刷物から取得したデータを縮小して縮小データを得、該得られた縮小データを１枚の印刷用紙に複数面が印刷されるように面付けし、該面付けされた縮小データを製版して印刷版を得、該得られた印刷版を用いて印刷し、該印刷された印刷物を前記縮小データに応じた縮小の割合で断裁し、該断裁された印刷物を丁合し、綴じ合わせることを特徴とする縮小印刷物の製造方法としたものである。
【００１４】
また、請求項７の発明では、前記縮小データの取得は、光学的手段によることを特徴とする請求項６記載の縮小印刷物の製造方法としたものである。
【００１５】
また、請求項８の発明では、前記面付けされた縮小データの製版は、該縮小データを直接印刷用版材へ出力するＣＴＰ（Ｃｏｍｐｕｔｅｒ  ｔｏ  Ｐｌａｔｅ）システムによることを特徴とする請求項６乃至７のいずれか１項記載の縮小印刷物の製造方法としたものである。
【００１６】
上記請求項８でいうＣＴＰ（Ｃｏｍｐｕｔｅｒ  ｔｏ  Ｐｌａｔｅ）システムとは、デジタルデータからフィルムなどの中間物をつくらずに印刷用版材に直接露光して印刷版を作製するシステムで、この印刷用版材にはサーマル型、フォトポリマー型あるいは銀塩拡散転写型など高感度の専用の版材や、従来より使用されている高感度のジアゾ型などがあり、これら印刷用版材はいずれもオフセット印刷用の版材である（印刷用語集  社団法人
日本印刷産業連合会編）。
【発明の効果】
【００１７】
本発明は以上の構成であるから、下記に示す如き効果がある。
【００１８】
即ち、上記請求項１に係る発明によれば、過去に少なくとも一度出版された印刷物と同じ印刷内容と配置でなり、かつその大きさが同じ割合で縮小されている縮小印刷物なので、出版された当時を懐かしむことができるとともに、印刷内容と印刷物とを同じ割合で縮小したものであるため、過去に出版された印刷物と同じイメージが得られ、またその情報を伝達する媒体となることに加え、ミニチュアとして玩具的な楽しみをも付与される縮小印刷物とすることができる。
【００１９】
また、上記請求項２に係る発明によれば、縮小に係る大きさの変更に伴い、使用される紙の材質は、過去に出版された印刷物とは異なる材質を適宜選択し得るので、縮小に伴って見にくくなるのを、表面粗さが少ない材質の紙とするなどで軽減することでき、また、例えば表紙とする紙を固い紙質のものを用いて、強度を付与した縮小印刷物とすることもできる。
【００２０】
また、上記請求項３に係る発明によれば、過去に出版された印刷物の印刷内容のうち、著作権者の許可が得られないなどの理由により掲載できない印刷内容がある場合には、その部分に相当する位置に、別の印刷内容が代わりに施されているようにしてあるので、全体として過去に一度出版された印刷物と同じ体裁を保持した縮小印刷物とすることができる。
【００２１】
また、上記請求項４に係る発明によれば、前記の過去に出版された印刷物が、雑誌、本、ポスター、カタログ、広告の中から選択されたものであることによって、世間に広く知られたものが対称となるので、多くの人に話題を提供できる縮小印刷物とすることができる。
【００２２】
さらにまた、請求項５に係る発明によれば、販売される商品に景品として添付されるものとすることによって、該商品の販売促進効果をより高めるとともに、過去に出版された印刷物と同じイメージが得られ、かつミニチュアとして玩具的な楽しみをも付与される縮小印刷物とすることができる。
【００２３】
また、上記請求項６に係る発明によれば、過去に出版された印刷物から取得したデータを縮小して縮小データを得、該得られた縮小データを１枚の印刷用紙に複数面が印刷されるように多面付けし、該多面付けされた縮小データを製版して印刷版を得、該得られた印刷版を用いて印刷し、該印刷された印刷物を前記縮小データに応じた縮小の割合で断裁し、該断裁された印刷物を丁合し、綴じ合わせることによって、過去に出版された印刷物と同じ内容の縮小印刷物を容易にかつ高精度に製造できる縮小印刷物の製造方法とすることができる。
【００２４】
また、上記請求項７に係る発明によれば、前記の縮小データの取得を、光学的手段により過去に出版された印刷物からの縮小化とすることによって、データ量を極力削減されるので、素早くかつ効率的に縮小データを得ることができ、さらに高精細の縮小データを得ることができる縮小印刷物の製造方法とすることができる。
【００２５】
さらにまた、上記請求項８に係る発明によれば、前記面付けされた縮小データの製版を、該縮小データを直接印刷用版材へ出力するＣＴＰ（Ｃｏｍｐｕｔｅｒ  ｔｏ  Ｐｌａｔｅ）システムによるものとすることによって、通常のフィルムを用いるＰＳ版のシステムと比べ、印刷物の内容が正確に高精度に、かつ素早く印刷版を作製できる縮小印刷物の製造方法とすることができる。
【００２６】
従って本発明は、雑誌や本など過去に出版された印刷物を印刷内容とともに縦横同じ割合でそのまま縮小した縮小印刷物およびその製造方法として、優れた実用上の効果を発揮する。
【発明を実施するための最良の形態】
【００２７】
以下本発明を実施するための最良の形態を図面を用いて詳細に説明する。
【００２８】
図１は、本発明の縮小印刷物の一事例を説明する斜視図である。また、図２から図６は、本発明の縮小印刷物の製造方法の一事例の説明図であり、図７は、本発明の縮小印刷物の製造方法の内の製版方法を示す模式図である。
【００２９】
上記本発明は、例えば図１（ａ）および図１（ｂ）に示すように、少なくとも過去に出版された雑誌等の印刷物（２）をそのまま縮小した縮小印刷物（１）およびその製造方法に関するものである。
【００３０】
そこで、上記請求項１に係る発明では、図１（ａ）に示す過去に出版された印刷物（２）を縮小して、図１（ｂ）に示すように、過去に出版された印刷物と同じ印刷内容と配置でなり、かつその大きさが縦横同じ割合で縮小されている縮小印刷物（１）としたものである。
【００３１】
このように、過去に出版された印刷物（２）と同じ印刷内容と配置でなり、かつその大きさが縦横同じ割合で縮小されている縮小印刷物（１）とすることによって、出版された当時を懐かしむことができ、過去に出版された印刷物（２）の情報を伝達する媒体となることに加え、ミニチュアとして玩具的な楽しみも付与される縮小印刷物（１）とすることができる。
【００３２】
上記縮小印刷物の縮小率は、その縮小印刷物の種類によっても異なるが、例えば、過去に出版された印刷物（２）がＡ４判の雑誌の場合で７４ｍｍ×５２ｍｍに、すなわち縮小率２５％程度とすると、過去に出版された印刷物（２）の内容がほぼつかむことができ、本文は読めないにしても、特に写真などの情報は十分に伝達できるものとすることができる。
【００３３】
また、上記請求項２に係る発明では、図１（ａ）に示す過去に出版された印刷物（２）から図１（ｂ）に示す縮小印刷物（１）とする縮小に係る大きさの変更に伴い、縮小印刷物（１）に使用される紙の材質を、過去に出版された印刷物（２）とは異なる材質の紙を適宜選択し得るものとしたものである。このように縮小することによって、印刷内容が見にくくなるので、この問題を軽減するため、表面粗さが少ない材質の紙とするなどの対策が取れる縮小印刷物（１）である。
【００３４】
また、上記請求項３に係る発明では、図１（ａ）に示すように、過去に一度出版された印刷物（２）の印刷内容のうち、例えば著作権者の許可が得られないなどで掲載できない印刷内容がある場合には、それに相当する位置に別の印刷内容が代わりに施されている縮小印刷物（１）とすることもでき、このような手段をとることによって、全体としてのイメージと体裁を過去に出版された印刷物と同じようにする縮小印刷物（１）とすることができる。
【００３５】
また、上記請求項４に係る発明では、図１（ａ）に示すように、過去に出版された印刷物（２）が、雑誌であるとする他に、図示しないが、例えば本、ポスター、カタログ、広告の中から選択されたものとするもので、このことによって、世間に広く知られたものが対称となるので、多くの人に話題を提供できる縮小印刷物とすることができる。
【００３６】
さらにまた、上記請求項５に係る発明では、図１（ｂ）に示すように、例えば、縮小印刷物（１）としての縮小雑誌を、販売される商品に景品として添付されるものとするものであり、このように商品に景品として添付されることによって、販売される商品の販売促進効果をより高めることができる。
【００３７】
また、上記請求項６から請求項８に係る発明は、図２から図５に示すように、縮小印刷物の製造方法であって、まず、上記請求項６に係る発明は、例えば図２に示すように、
過去に出版された印刷物（２）を１ページづつスキャナー（１０）で読み込み、その原寸データ（１１）をデータベース（１２）に蓄積する。
【００３８】
続いて図３に示すように、上記データベース（１２）に蓄積された原寸データ（１１）を縦横同じ割合で縮小し、この縮小データ（１３）を上記データベース（１２）に再蓄積する。
【００３９】
また、上記請求項７に係る発明では、図３に示すように、データベース（１２）に蓄積された原寸データ（１１）を縦横同じ割合で縮小して縮小データ（１３）とするに際し、光源（１４ａ）とレンズ（１４ｂ）を備えた光学的縮小装置（１４）を用いて縮小化するものである。このように光学的に縮小することによって、データ量を極力削減することができるので、素早くかつ効率的に縮小データを得ることができる。
【００４０】
なお、技術的にはスキャナー（１０）で読み取った原寸データ（１１）をコンピューター内で縮小化処理することもできるが、上記のような光学的手法による縮小化処理の方がより効率的である。
【００４１】
続いて、上記請求項６に係る発明では、図４に示すように、データベース（１２）に再蓄積された縮小データ（１３）を１枚の印刷用紙に同じ画像が３組づつ印刷されるように面付けし、この面付けされた各縮小データ（１３）を印刷用版材に出力してシリンダーに巻付けられた印刷版（１５）を得る。
【００４２】
上記図４に示すように、面付けされた縮小データ（１３）を印刷用版材に出力して印刷版（１５）とする製版を、上記請求項８に係る発明では、ＣＴＰ（Ｃｏｍｐｕｔｅｒ  ｔｏ  Ｐｌａｔｅ）システムによるものとするものである。
【００４３】
上記ＣＴＰシステムによる製版の一事例をより詳しく説明すると、このシステムに使用する印刷用版材としては、例えば図８（ａ）の側断面模式図に示すように、ＳｉとＭｎが含んだアルミニウム合金でなる厚さ０．２３ｍｍ程度の基材（２０）の凹凸（砂目立て）面に深さ１０μｍ程度の黒色化されたγ−Ａｌ２  Ｏ３  膜（２４）が施され、この黒色化されたγ−Ａｌ２  Ｏ３  膜（２４）上に、ラジカル重合型フォトポリマー層（２２）、その上にオーバーコート層（３０）が施されている層構成のＣＴＰ用の平版印刷用版材（１５ａ）とする。
【００４４】
上記ラジカル重合型フォトポリマーとしては、例えば富士フィルム社製のブリリアＬＰＡや三菱化学社製のダイヤモンドプレートＬＡ等に用いられているもので、ラジカル重合機構の感度増幅機構により、通常の平版印刷用ＰＳ版（Ｐｒｅ  Ｓｅｎｓｉｔｉｚｅｄ
Ｐｌａｔｅ）の約１０００倍以上の感度を有する。また、図８（ａ）に示すオーバーコート層（３０）は、この高感度のラジカル重合型フォトポリマー層（２２）の中で発生したラジカルが空気中の酸素と反応して重合を阻害することを防ぐための層として設けてあるもので、ネガ・ポジ型の平版印刷用版材（１５ａ）である。
【００４５】
このネガ・ポジ型のラジカル重合型フォトポリマー層（２２）を有する平版印刷用版材（１５ａ）の画像形成法は、図８（ａ）に示すように、Ａｒ（感光波長４８８ｎｍ）あるいはＦＤ−ＹＡＧ（５３２ｎｍ）レーザーの光（Ｏ）により照射される（露光工程）。このレーザー光（Ｏ）の照射されたラジカル重合型フォトポリマー層（２２）は、ラジカル重合により架橋硬化され架橋硬化部（２２ａ）となり、これをアルカリ水溶液タイプの現像液で現像すること（現像工程に）によって、図８（ｂ）に示すように、この現像液に不溶解になった架橋硬化部（２２ａ）が親油性を有する画像部（インキが付着する部分）となり、図８（ａ）に示すレーザー光（Ｏ）の未照射部であるラジカル重合型フォトポリマー層（２２）が溶解され、図８（ｂ）に示すように、黒色化されたγ−Ａｌ２  Ｏ３  膜（２４）が露出して親水性を有する非画像部（湿し水が付着する部分）を形成し、平版印刷用の印刷版（１５）とするものである。
【００４６】
また、その他のＣＴＰ用の平版印刷用版材としては、銀塩拡散転写型の内型タイプのもで、その代表例としてアグファ社製のシルバリスがあり、例えば、図９（ａ）の側断面模式図に示すように、ＳｉとＭｎが含んだアルミニウム合金でなる基材（２０）の凹凸（砂
目立て）面に、深さ１０μｍ程度の黒色化されたγ−Ａｌ２  Ｏ３  膜（２４）が施され、この黒色化されたγ−Ａｌ２  Ｏ３  膜（２４）上に、物理現像核層（２７）、ハロゲン化銀乳剤層（３２）の３層構成でなるポジ・ポジ型のＣＴＰ用の平版印刷用版材（１５ａ）とする。
【００４７】
このポジ・ポジ型のハロゲン化銀乳剤層（３２）を有する平版印刷用版材（１５ａ）の画像形成法は、図９（ａ）に示すように、Ａｒ（感光波長４８８ｎｍ）あるいはＦＤ−ＹＡＧ（５３２ｎｍ）レーザーの光（Ｏ）により照射される（露光工程）。このようにレーザー光（Ｏ）の照射された露光部は、図９（ｂ）に示すように、銀錯体（Ａｇ）が化学現像され、未露光部は銀錯体（Ａｇ）の拡散により黒色化されたγ−Ａｌ２  Ｏ３  膜（２４）表面に金属銀膜（２７ａ）が形成される。続いて未露光部の銀錯体（Ａｇ）が拡散されたハロゲン化銀乳剤層（３２ａ）と露光部の化学現像されたハロゲン化銀乳剤層（３２ｂ）が剥離され、図９（ｃ）に示すように、残った金属銀膜（２７ａ）が親油性を有する画像部（インキが付着する部分）となり、剥離され、黒色化されたγ−Ａｌ２  Ｏ３  膜（２４）が露出して親水性を有する非画像部（湿し水が付着する部分）を形成する銀塩拡散転写型の内型タイプのＣＴＰ用の平版印刷用印刷版（１５）とするものである。
【００４８】
続いて、上記請求項６に係る発明では、図５に示すように、面付けされた各縮小データをＣＴＰシステムで製版した印刷版（１５）を用い、オフセット印刷機（１６）で印刷して、１枚の印刷用紙（１８）に３組づつ面付けされた印刷物（１７）を得る。
【００４９】
続いて、例えば、図６に示すように、３丁無線綴じ製本の場合、上記で得られた印刷物（１７）を折られた状態で所定の枚数に丁合し（丁合工程）、折られている部分を断裁して１ページにばらし（ミーリング工程）、その背（１７ａ）の部分を接着剤が着きやすくするため傷を付け（ガリ工程）、さらにこの背（１７ａ）の部分に接着剤を塗布し（接着剤塗布工程）、表紙（１ａ）をくるみ貼付ける（表紙くるみ工程）。さらにその外側を断ち落とし（トリミング工程）、３冊分に断裁して、縮小印刷物（１）とする縮小印刷物の製造方法である。
【００５０】
また、例えば、図７に示すように、３丁中綴じ製本の場合においては、上記で得られた印刷物（１７）を丁合し（丁合工程）、その丁合された折り丁を表紙（１ａ）でくるみ、表紙（１ａ）を含む折り丁の背（１７ａ）の部分に針金（１９）を通して綴じ（ステッチ工程）、さらに背（１７ａ）の部分を除いた外側を断ち落とし（トリミング工程）、３冊分に断裁して、縮小印刷物（１）とする縮小印刷物の製造方法である。
【図面の簡単な説明】
【００５１】
【図１】本発明の縮小印刷物の一事例を説明するもので、（ａ）は、過去に出版された印刷物の斜視図であり、（ｂ）は、それを縮小した縮小印刷物の斜視図である。
【図２】本発明の縮小印刷物の製造方法の一実施の形態を説明するもので、過去に出版された印刷物のデータをデータベースに取り込む工程図である。
【図３】本発明の縮小印刷物の製造方法の一実施の形態を説明するもので、データベースに取り込まれたデータを縮小データとする工程図である。
【図４】本発明の縮小印刷物の製造方法の一実施の形態を説明するもので、データベースに再蓄積された縮小データを多面付けし、印刷用版材に出力して印刷版とする工程図である。
【図５】本発明の縮小印刷物の製造方法の一実施の形態を説明するもので、得られた印刷版を用いて印刷する印刷工程図である。
【図６】本発明の縮小印刷物の製造方法の一実施の形態を説明するもので、多面付けされた印刷物を製本する製本工程図である。
【図７】本発明の縮小印刷物の製造方法の一実施の形態を説明するもので、多面付けされた印刷物を製本する他の製本工程図である。
【図８】本発明の縮小印刷物の製造方法のうちのＣＴＰシステムを説明する模式図で、（ａ）は、露光工程を示し、（ｂ）は、現像工程を示す。
【図９】本発明の縮小印刷物の製造方法のうちの他のＣＴＰシステムを説明する模式図で、（ａ）は、露光工程を示し、（ｂ）は、現像工程を示し、（ｃ）は、剥離工程を示す。
【符号の説明】
【００５２】
１‥‥縮小印刷物
１ａ‥‥縮小印刷物の表紙
２‥‥過去に出版された印刷物
１０‥‥スキャナー
１１‥‥原寸データ
１２‥‥データベース
１３‥‥縮小データ
１４‥‥光学的縮小装置
１４ａ‥‥光源
１４ｂ‥‥レンズ
１５‥‥平版用印刷版
１５ａ‥‥平版印刷用版材
１６‥‥オフセット印刷機
１７‥‥面付けされた印刷物
１７ａ‥‥背
１９‥‥針金
２０‥‥基材
２２‥‥ラジカル重合型フォトポリマー層
２２ａ‥‥ラジカル重合型フォトポリマー層の架橋硬化部
２４‥‥黒色化されたγ−Ａｌ２  Ｏ３  膜
２７‥‥物理現像核層
２７ａ‥‥金属銀膜層
３０‥‥オーバーコート層
３２‥‥ハロゲン化銀乳剤層
３２ａ‥‥銀拡散されたハロゲン化銀乳剤層
３２ｂ‥‥化学現像されたハロゲン化銀乳剤層
Ｏ‥‥レーザー光
【図１】
2006123379.tif 000003
【図２】
2006123379.tif 000004
【図３】
2006123379.tif 000005
【図４】
2006123379.tif 000006
【図５】
2006123379.tif 000007
【図６】
2006123379.tif 000008
【図７】
2006123379.tif 000009
【図８】
2006123379.tif 000010
【図９】
2006123379.tif 000011